(57)【要約】【課題】記録された多数の画像情報の閲覧を容易にし、利用者の使い勝手を向上する撮像装置を実現する。【解決手段】撮影した画像情報と、該画像情報に付随する属性情報と、該属性情報を用いて該画像情報を表示する方法を示した制御情報を記憶媒体に記録する撮像装置であって、前記画像情報を記憶媒体に記録する画像情報記録部と、前記画像情報記録部から記録処理と同期して、少なくとも前記画像情報のアドレス情報を含む前記属性情報を記憶媒体上の属性情報ファイルに追記して記録する属性情報記録部と、前記属性情報ファイルに登録されている前記属性情報を利用して前記画像情報を表示する方法を記録した前記制御情報を前記記憶媒体に記録する制御情報記録部を設けた撮像装置。【選択図】図２
2011119957.tif 000002
【特許請求の範囲】
【請求項１】
撮影した画像情報と、該画像情報に付随する属性情報と、該属性情報を用いて該画像情報を表示する方法を示した制御情報を記憶媒体に記録する撮像装置であって、
前記画像情報を記憶媒体に記録する画像情報記録部と、
前記画像情報記録部から記録処理と同期して、少なくとも前記画像情報のアドレス情報を含む前記属性情報を前記記憶媒体上の属性情報ファイルに追記して記録する属性情報記録部と、
前記属性情報ファイルに登録されている前記属性情報を利用して前記画像情報を表示する方法を記録した前記制御情報を前記記憶媒体に記録する制御情報記録部と
を備えることを特徴とする撮像装置。
【請求項２】
前記属性情報記録部は、前記画像情報記録部による前記画像情報の書き込みと同時に、前記属性情報の記録処理を行う、
ことを特徴とする請求項１に記載の撮像装置。
【請求項３】
前記属性情報記録部は、前記画像情報記録部から通知される記録処理完了通知を受けて、前記属性情報の記録処理を開始する、
ことを特徴とする請求項１に記載の撮像装置。
【発明の詳細な説明】
【技術分野】
【０００１】
本発明は、撮像装置に関し、例えば、デジタルスチルカメラや、デジタルムービーなどの情報記録時の処理装置に関する。
【背景技術】
【０００２】
デジタルスチルカメラでは、ＣＣＤやＣＭＯＳで構成される撮像素子に結像した像をデジタルデータとして読み出し、ＤＣＦ規格（Ｄｅｓｉｇｎ  ｒｕｌｅ  ｆｏｒ  Ｃａｍｅｒａ  Ｆｉｌｅ  ｓｙｓｔｅｍ）などのフォーマットに従って、フォルダに分けて通し番号を付与したファイル名を与えて、ＳＤメモリーカードなどの不揮発性記録媒体に記録する。利用者が撮影済みの画像を閲覧したい場合は、デジタルスチルカメラ本体に備えられたディスプレイでの閲覧や、ＳＤメモリーカードをデジタルスチルカメラから取り外し、ＳＤメモリーカードスロットを持つパソコンやテレビに接続し、ＳＤメモリーカードより画像データを読み出し、閲覧を行うことができる。閲覧は撮影順や、ファイル名に付与された通し番号順に順次表示、または一覧表示などを行う。
【０００３】
しかし、近年、ＳＤメモリーカードなどの記録媒体の容量が大容量化してきており、そこに記録できる画像の数も膨大になってきている。そのため、従来の撮影順などの閲覧方法では、利用者が見たい写真を探し出し、閲覧することが困難になってきている。
【０００４】
そこで、画像を閲覧する際に、ファイルシステムやＥＸＩＦ規格で定められたフォーマットで画像ファイルに記述された日付情報を読み出し、画像を撮影日時等で分類して一覧表示し、利用者に提示するデジタルスチルカメラやパーソナルコンピューターのソフトウェアが存在する。
【０００５】
また、特許文献１には別の方法が開示されている。特許文献１の画像管理装置は、撮影されて記録された写真群の撮影日を解析し、静的なメニューを作成する。再生装置では、静的メニューを表示することで、写真の動的解析を不要にし、写真の閲覧を高速に行うことができる。
【先行技術文献】
【特許文献】
【０００６】
【特許文献１】特開２００５−３３８３１号公報
【発明の概要】
【発明が解決しようとする課題】
【０００７】
特許文献１の方法は、静的メニューの作成後に写真が追加されない場合、すなわち光学メディアに写真と静的メニューを記録する場合などでは有効な技術である。しかし、写真を追加記録することが前提となる、不揮発性記録媒体においては、写真を撮影して記録するたびにメニューの再作成を行う必要があるため、写真の撮影時または写真の閲覧時にメニュー作成のための処理時間が発生する。また、メニュー作成にかかる時間は、記録媒体に記録されている写真の数に比例して増大する。
【課題を解決するための手段】
【０００８】
かかる課題を解決するため、本発明においては、撮影した画像情報を記憶媒体に記録する画像情報記録部と、画像情報記録部から記録処理と同期して、少なくとも画像情報のアドレス情報を含む属性情報を記憶媒体上の属性情報ファイルに追記して記録する属性情報記録部と、属性情報ファイルに登録されている属性情報を利用して画像情報を表示する方法を記録した制御情報を記憶媒体に記録する制御情報記録部を設けるようにした。
【０００９】
これによって、撮像装置においては、撮影するたびにメニューの作成を行う必要がなく、撮影時に記録媒体への記録処理にかかる時間の増大を抑えることができる。
【００１０】
さらに、表示装置においては、すべての画像情報を読み込むことなく、属性情報のみを読み込めば、記録されている画像情報の一覧や日付などの情報が取得可能であり、表示装置における処理時間を軽減できる。
【発明の効果】
【００１１】
本発明を適用した撮像装置を利用することによって、ＥＸＩＦやＡＶＣＨＤといったフォーマットに従って記録される静止画や動画とメタデータ（画像や動画の補足情報）だけでなく、それらを分類した情報とそれを用いた表示方法を示す情報が記録され、表示装置において、それらを処理することによって、容易に日付やシーンなどで分類した表示や検索を実施できる。
【図面の簡単な説明】
【００１２】
【図１】本発明の実施の形態における全体構成の一例を示すブロック図
【図２】本発明の実施の形態における撮像装置、不揮発性記録媒体、表示装置の構成の一例を示すブロック図
【図３】本発明の実施の形態における属性情報群の一例を示す図
【図４】本発明の実施の形態における属性情報記録部の動作の一例を示すフローチャート
【図５】本発明の実施の形態における表示画面の一例を示す図
【図６】本発明の実施の形態における表示装置の動作の一例を示すフローチャート
【発明を実施するための形態】
【００１３】
（実施の形態１）
図１は本実施の形態による撮像装置１０００と、撮像装置１０００によって情報が記録される不揮発性記録媒体２０００、不揮発性記録媒体２０００に記録されている情報を解釈し、画面に表示を行う表示装置３０００を示し、図の矢印は情報の流れを模式的に表現している。初めに、撮像装置１０００に不揮発性記録媒体２０００を装着し、撮像装置１０００が不揮発性記録媒体２０００に情報を読み書きできる状態にする。この状態で撮影を行うことによって、画像などの各種情報が撮像装置１０００によって、不揮発性記録媒体２０００に記録される。次に、不揮発性記録媒体２０００を撮像装置１０００から取り外し、表示装置３０００に装着する。表示装置３０００において、不揮発性記録媒体２０００より画像などの各種情報を読み出し、表示を行う。
【００１４】
撮像装置１０００はデジタルスチルカメラやデジタルビデオカメラなどの動画像または静止画像をデジタルデータとして記録する機能を有する装置である。不揮発性記録媒体２０００はＳＤメモリーカードやＵＳＢメモリーなどの半導体メモリーや、ハードディスクドライブなどの磁気ドライブ、ＣＤやＤＶＤ等の光ディスクなどが考えられる。表示装置３０００は、テレビ、パソコン、携帯電話、ポータブル情報端末などが想定され、不揮発性記録媒体読み取り装置を備え、不揮発性記録媒体２０００から読み出した情報を処理し、その結果を表示する表示部を備える。
【００１５】
（撮像装置１０００の構成）
撮像装置１０００は、図２に示すように、入力部１１００、イメージ取得部１２００、付加情報生成部１３００、画像情報生成部１４００、画像情報記録部１５００、属性情報生成部１６００、属性情報記録部１７００、制御情報記録部１８００から構成される。
【００１６】
入力部１１００は、シャッターボタンや、タッチパネル、方向キーなどで、利用者からの入力を受け付ける。入力部１１００を利用することで、利用者は撮影を行ったり、撮影画像の閲覧操作を行ったり、撮影時の設定を行うことができる。撮影時の設定とは、シャッタースピードや絞り、露出の設定や、シーンの設定のことである。シーン設定とは、「風景」「人物」「夜景」「マクロ」などのメニューが事前に用意され、それらを選択することによって、自動的に最適なシャッタースピードや絞り、撮影後の画像処理方法などが選択される機能の設定の事である。ここで設定されたシーン情報は画像情報生成部１４００へ通知する。例えば、利用者の入力によって、「風景」というシーン設定が行われた場合は、「風景」というシーン情報を画像情報生成部１４００へ通知する。なお、シーン設定に関しては、これらは一例であり、他に「スポーツ」「花火」など、様々な物が考えられる。また、シーン設定は、イメージ取得部１２００の情報を用いて、自動的に設定されるものも考えられる。
【００１７】
イメージ取得部１２００はＣＣＤやＣＭＯＳなどのイメージセンサを備え、入力部１１００のシャッターボタン押下に対応して、イメージセンサで得られた電気信号からデジタルデータに変換し、ＪＰＥＧなどのフォーマットで圧縮を行い、その圧縮後の画像データを画像情報生成部１４００へ通知する。なお、画像データのフォーマットはＪＰＥＧに限定する物ではなく、ＧＩＦ（Ｇｒａｐｈｉｃｓ  Ｉｎｔｅｒｃｈａｎｇｅ  Ｆｏｒｍａｔ）やＰＮＧ（Ｐｏｒｔａｂｌｅ  Ｎｅｔｗｏｒｋ  Ｇｒａｐｈｉｃｓ）などでもよい。また、圧縮を行わなくてもよい。
【００１８】
付加情報生成部１３００はＧＰＳセンサー及び時計機能を備え、入力部１１００のシャッターボタン押下に対応して、ＧＰＳセンサーから緯度と経度を取得し、付加情報として画像情報生成部１４００へ通知する。また、時計機能から日時の情報を取得し、この情報も付加情報として画像情報生成部１４００へ通知する。なお、付加情報生成部で生成し、画像情報生成部１４００へ通知する付加情報は、ＧＰＳセンサーを用いた位置情報や時計機能を用いた日時の情報に限定するものではなく、イメージ取得部から取得できる撮影時のシャッタースピードや絞り、露出、焦点距離などの情報や、各種センサーを搭載して取得できる、温度、湿度、圧力、標高、方位、加速度など様々な情報が考えられる。
【００１９】
画像情報生成部１４００は入力部１１００から通知されたシーン情報、イメージ取得部１２００から通知された画像データ、付加情報生成部１３００から通知された付加情報を基にＥＸＩＦ（Ｅｘｃｈａｎｇｅａｂｌｅ  ｉｍａｇｅ  ｆｉｌｅ  ｆｏｒｍａｔ）のフォーマットで画像情報２１００を生成し、画像情報記録部１５００へ通知する。なお、画像情報２１００の形式は、ＥＸＩＦに限定しない。また、画像情報生成部１４００は入力部１１００から通知されたシーン情報、付加情報生成部１３００から通知された付加情報と、生成した画像情報２１００のファイル名を撮影情報として属性情報生成部１６００へ通知する。
【００２０】
画像情報記録部１５００は、画像情報生成部１４００から通知された画像情報２１００を不揮発性記録媒体２０００に記録する。記録する際のフォルダ構造などのフォーマットは一般的に用いられているＤＣＦ規格などのフォーマットで行う。なおフォルダ構造などのフォーマットはＤＣＦ規格に限定しない。
【００２１】
属性情報生成部１６００は、画像情報生成部１４００よりシーン情報、付加情報、画像情報２１００のファイル名を含む撮影情報を取得し、それらの情報を用いて、属性情報２２０１、２２０２・・・を生成する。生成した属性情報２２００を、属性情報記録部１７００へ通知する。
【００２２】
属性情報記録部１７００は、属性情報生成部１６００から通知された属性情報２２０１、２２０２・・・を取得し、画像情報記録部１５００と同期して、不揮発性記録媒体２０００に保持されている属性情報群２２００に追記する。画像情報記録部１５００と同期して属性情報２２０１、２２０２・・・を書き込む方法としては、画像情報記録部１５００と属性情報記録部１７００が同時に書き込みを行う方法がある。或いは、画像情報記録部１５００が書き込みを完了した後、画像情報記録部１５００から属性情報記録部１７００へ書き込み完了の通知を行い、属性情報記録部１７００は書き込み完了通知を受けて属性情報２２０１、２２０２・・・の書き込みを行う方法なども考えられる。
属性情報記録部１７００が属性情報２２０１、２２０２・・・の書き込む際に不揮発性記録媒体２０００に属性情報群２２００が記録されていない場合は、属性情報記録部１７００は、まず属性情報群２２００を不揮発性記録媒体２０００に生成し、その後属性情報群２２００に属性情報２２０１、２２０２・・・を追記する。既に属性情報群２２００が記録されている場合は、その属性情報群２２００に属性情報２２０１、２２０２・・・を追記する。
【００２３】
制御情報記録部１８００は、不揮発性記録媒体２０００に記録されている画像情報２１００、属性情報群２２００を用いて、表示装置３０００にて画面表示を行うための制御情報２３００を不揮発性記録媒体２０００に記録する。制御情報２３００は、制御情報記録部１８００において事前に保持しておき、不揮発性記録媒体２０００と撮像装置１０００が接続された際に、不揮発性記録媒体２０００に制御情報２３００が記録されていない場合、記録を行う。なお、事前に複数の制御情報を制御情報記録部１８００に保持しておき、不揮発性記録媒体２０００への記録の際に、利用者の入力や、日時情報などに基づいて自動的に選択を行い、記録を行なってもよい。また、事前に制御情報を制御情報記録部１８００が保持するのではなく、不揮発性記録媒体２０００へ記録する際に、属性情報生成部１６００が生成した属性情報２２００の書式に従って、制御情報記録部１８００が制御情報２３００を生成し、不揮発性記録媒体２０００に記録を行ってもよい。なお、制御情報２３００は、ＪａｖａＳｃｒｉｐｔ（登録商標）などの表示装置３０００が処理できるプログラミング言語を用いて記載される。
【００２４】
図４に示したフローチャートを用いて、属性情報記録部１７００での処理の一例を説明する。
【００２５】
Ｓ４００１：属性情報生成部１６００で生成された属性情報２２０１、２２０２・・・を受信する。
【００２６】
Ｓ４００２：不揮発性記録媒体２０００に、属性情報群２２００が記録されているかどうかをチェックする。
【００２７】
Ｓ４００３：不揮発性記録媒体２０００に、属性情報群２２００が記録されていない場合は、属性情報２２０１、２２０２・・・を含まない空の属性情報群を作成し、不揮発性記録媒体２０００に記録する。
Ｓ４００４：不揮発性記録媒体２０００に記録されている属性情報群２２００の末尾に、Ｓ４００１で受信した属性情報２２０１、２２０２・・・を追記する。
【００２８】
（不揮発性記録媒体２０００の構成）
不揮発性記録媒体２０００は、図２に示すように、画像情報２１００、属性情報群２２００、制御情報２３００を記録・保持する。
【００２９】
画像情報２１００は、撮像装置１０００の画像情報記録部１５００によって記録される画像データであり、ＤＣＦ規格に準拠したフォルダ・ファイル構成で格納されたＪＰＥＧ画像である。なおＤＣＦ規格準拠は必須ではなく、ファイルフォーマットもＪＰＥＧである必要もない。
【００３０】
属性情報群２２００は、撮像装置１０００の属性情報記録部１７００によって記録される。属性情報群２２００は、属性情報２２０１、２２０２・・・によって構成され、各属性情報２２０１、２２０２、・・・は、撮影された順序（先頭は最も古く末尾は最も新しい）で並んでいる。各属性情報２２０１、２２０２・・・は、それぞれ対応する画像情報２１００があり、対応する画像情報２１００のシーン情報、付加情報、ファイル名を含んでいる。
【００３１】
制御情報２３００は、撮像装置１０００の制御情報記録部１８００によって記録されるプログラミング言語である。表示装置３０００において、不揮発性記録媒体２０００に記録されている画像情報２１００、属性情報群２２００を用いて、画面生成を行うために使用する。
【００３２】
（属性情報群２２００について）
属性情報群２２００には、画像情報２１００に関連する情報で、撮像部１１００より通知された撮影情報を示す属性情報２２０１、２２０２・・・が記録されている。属性情報群２２００の一例を、図３に示す。属性情報群２２００は表で表すことができ、０個以上の行で構成される。各行に属性情報２２０１、２２０２・・・が格納される。図３の例では、１行目に属性情報２２０１、２行目に属性情報２２０２、３行目に属性情報２２０３が格納されている。また、列２２１１には各行に記録されている属性情報を識別する識別子が記録され、他の列には画像情報生成部１４００より通知された撮影情報を記録する。本実施の形態では、第２列２２１２には「撮影日時情報」、第３列２２１３には「シーン情報」、第４列２２１４にはアドレス情報として「画像情報のファイル名」を記録している。従って、第１行２２０１の第１列２２１１には識別子「１」、第２列２２１２には日付情報「２００９／０８／２５ １０：１１」、第３列２２１３にはシーン情報「風景」、第４列２２１４には画像情報のファイル名「Ｐ１０００００１．ＪＰＧ」という情報が記録されている。他の行についても同様に、各種の情報が記録されている。なお、属性情報群２２００に記録する情報は、これらの情報に限定されるものではなく、位置情報を表すＧＰＳデータや、利用者が入力部１１００を用いて入力したメモ情報、撮像装置１０００に搭載された各種センサーから取得した、温度、湿度、加速度や、シャッタースピード、露出、焦点距離などの撮影時の情報など、様々な撮影情報を保持することができる。
【００３３】
（表示装置３０００について）
表示装置３０００は、図２に示すように、入力部３１００、インタフェース部３２００、情報処理部３３００、表示部３４００から構成される。
【００３４】
入力部３１００は、利用者からの入力を受け付ける。具体的には、キーボード、タッチパネル、赤外線リモコンなどが考えられる。
【００３５】
インタフェース部３２００は、不揮発性記録媒体２０００を接続し、不揮発性記録媒体２０００に記録されている画像情報２１００、属性情報群２２００、制御情報２３００を読み出し、情報処理部３３００に通知する。また、情報処理部３３００からの情報を不揮発性記録媒体２０００に記録を行う。
【００３６】
情報処理部３３００は、インタフェース部３２００から通知された各種情報と、入力部３１００からの入力情報を基に、表示すべき画面情報を生成し、表示部３４００において、表示を行う。
【００３７】
表示部３４００は、情報処理部３３００の処理結果の表示を行う。具体的には、液晶ディスプレイモジュールやプラズマディスプレイモジュールなどのディスプレイモジュールで構成される事が考えられる。
【００３８】
図６に示したフローチャートを用いて、表示装置３０００における処理の一例を説明する。
【００３９】
Ｓ６００１：インタフェース部３２００は、接続されている不揮発性記録媒体２０００から制御情報２３００を読み出し、情報処理部３３００に通知する。
【００４０】
Ｓ６００２：インタフェース部３２００は、不揮発性記録媒体２０００に記録されている属性情報群２２００から、全ての属性情報２２０１、２２０２・・・を読み出す。読み出した属性情報２２０１、２２０２・・・を情報処理部３３００に通知する。情報処理部３３００は、インタフェース部３２００から受信した属性情報２２０１、２２０２・・・を、検索効率を考慮して加工し、メモリー上に保持する。
【００４１】
Ｓ６００３：情報処理部３３００は、Ｓ６００２でインタフェース部３２００から受信した制御情報２３００とＳ６００７で入力部３１００から受信した入力により、画像情報２１００の読み出しが必要かどうかを判定する。画像情報２１００の読み出しが必要と判定した場合は、Ｓ６００４を実行する。またその際に、読み出す必要のある画像情報２１００に対応する属性情報２２０１、２２０２・・・から画像情報２１００のファイル名を取得し、インタフェース部３２００に通知する。属性情報２２００の読み出しが不要と判定した場合は、Ｓ６００５を実行する。
【００４２】
Ｓ６００４：インタフェース部３２００は、情報処理部３３００から受信した画像情報２１００のファイル名を用いて、不揮発性記録媒体２０００に記録されている画像情報２１００から、必要な画像ファイルを読み出す。読み出した画像情報２１００を情報処理部３３００に通知する。
【００４３】
Ｓ６００５：情報処理部３３００は、Ｓ６００２でインタフェース部３２００から受信した制御情報２３００と、Ｓ６００２でメモリー上に保持した属性情報２２０１、２２０２・・・と、Ｓ６００５でインタフェース部から３２００から受信した画像情報２１００とを処理し、画面を生成して表示部３４００に通知する。表示部３４００は、情報処理部３３００から受信した画面を表示する。
【００４４】
Ｓ６００６：入力部３１００は、利用者の操作を入力として受信し、情報処理部３３００に通知する。
【００４５】
Ｓ６００７：情報処理部３３００は、入力部３１００から入力を受信する。受信した入力が処理の終了を示すものであった場合は、処理を終了する。そうでなかった場合は、Ｓ６００３を実行する。
【００４６】
具体的に、図３に示す属性情報群２２００と、各属性情報２２０１、２２０２、２２０３に対応する画像情報２１００を記録した不揮発性記録媒体２０００を表示装置３０００に接続した場合に、図５に示す画面イメージの一例と、図６に示すフローチャートを用いて、説明する。
【００４７】
不揮発性記録媒体２０００より制御情報２３００を読み出す（Ｓ６００１）。また、属性情報２２０１、２２０２・・・も読み出し、「撮影日時」及び「シーン情報」のそれぞれによるソートを行い、ソート結果をメモリー上に保持する（Ｓ６００２）。読み出した制御情報２３００と属性情報２２０１、２２０２・・・を用いて画面を生成し、表示する（Ｓ６００５）。表示される画面の一例として図５の（ａ）に画面５００１を示す。この画面の場合、属性情報２２０１、２２０２・・・を読み出す処理は不要である（Ｓ６００２、Ｓ６００３）。また、画像情報２１００も読み出す必要がない（Ｓ６００４、Ｓ６００５）。
【００４８】
利用者が画面５００１を見ながら、入力手段３１００より入力を行う。ここでは、リモコンを用いて画面５００１上で「日付別表示」を選択したとする（Ｓ６００６）。入力されたのは「日付別表示」を行う処理であり、終了処理ではないので、Ｓ６００３の処理へと進む（Ｓ６００８）。「日付別表示」とは、属性情報２２０１、２２０２・・・に含まれる「撮影日時」の撮影日を利用して分類を行い、画像を表示することである。Ｓ６００２で属性情報２２０１、２２０２・・・を「撮影日時」によってソートした結果を用いて、分類項目として「２００９／０８／２５」と「２００９／０９／０１」を取得する。また、「２００９／０８／２５」に属する画像情報２１００のファイル名「Ｐ１０００００１．ＪＰＧ」及び「Ｐ１０００００２．ＪＰＧ」と、「２００９／０９／０１」に属する画像情報２１００のファイル名「Ｐ１０００００３．ＪＰＧ」を取得する（Ｓ６００３）。
【００４９】
Ｓ６００３で取得した画像情報２１００のファイル名Ｐ１０００００１．ＪＰＧ」、「Ｐ１０００００２．ＪＰＧ」及び「Ｐ１０００００３．ＪＰＧ」で示される画像情報２１００を、不揮発性記録媒体２０００から読み出す（Ｓ６００４）。Ｓ６００３で取得した分類項目「２００９／０８／２５」及び「２００９／０９／０１」と、Ｓ６００４で取得した画像情報２１００を用いて、「日付別表示」の画面を生成して表示する（Ｓ６００５）。表示される画面の一例として図５の（ｂ）に画面５００２を示す。
【００５０】
つづいて利用者より入力部３１００を通じて、「シーン別表示」を行うように、入力された場合、同様に処理を行い、図５の（ｃ）に示す画面５００３を生成する。
【００５１】
なお、本実施例では画像関連情報に画像情報の所在を表すアドレス情報として、ファイル名を記録したが、画像情報のファイルが記録されている所在を表す情報や所在を表す情報を導出するための情報であればよい。
【産業上の利用可能性】
【００５２】
本発明は、撮像装置、撮像方法、撮像方法のプログラムに関し、デジタルスチルカメラ、デジタルムービーだけでなく、デジタルスチルカメラやデジタルムービーの機能を有する携帯電話など、動画や静止画を撮像する機能を有する装置に適用可能である。
【符号の説明】
【００５３】
１０００    撮像装置
１１００,３１００    入力部
１２００    イメージ取得部
１３００    付加情報生成部
１４００    画像情報生成部
１５００    画像情報記録部
１６００    属性情報生成部
１７００    属性情報記録部
１８００    制御情報記録部
２０００    不揮発性記録媒体
２１００    画像情報
２２００    属性情報群
２２０１、２２０２    属性情報
２３００    制御情報
３０００    表示装置
３２００    インタフェース部
３３００    情報処理部
３４００    表示部
【図１】
2011119957.tif 000003
【図２】
2011119957.tif 000004
【図３】
2011119957.tif 000005
【図４】
2011119957.tif 000006
【図５】
2011119957.tif 000007
【図６】
2011119957.tif 000008